(57)【特許請求の範囲】
【請求項１】
アナログビデオコンポジット信号をディジタル信号に変換するＡ／Ｄ変換器と、該ディジタル信号からディジタル輝度信号とディジタル変調色信号とを分離するＹ／Ｃ分離回路と、第１の色搬送波と該第１の色搬送波に対して位相が９０゜異なる第２の色搬送波とを生成する色副搬送波生成回路と、該Ｙ／Ｃ分離回路で分離された該変調色信号と該第１の色搬送波とを乗算してディジタル色差信号Ｒ−Ｙを復調する第１の乗算器と、該Ｙ／Ｃ分離回路で分離された該ディジタル変調色信号と該第２の色搬送波とを乗算してディジタル色差信号Ｂ−Ｙを復調する第２の乗算器とを備えたビデオ信号復調回路において、
復調された該ディジタル色差信号Ｒ−Ｙ，Ｂ−Ｙ夫々のバースト期間での信号成分の積分値を求めるための積分回路と、
該積分回路の積分値を取り込んで、該第１，第２の色副搬送波の該バースト期間での位相制御のための第１の制御パラメータと該第１，第２の色副搬送波の映像期間での位相制御のための第２の制御パラメータとを生成する位相制御回路と  を設け、
該位相制御回路は、
順次のラインのうちのいずれかのラインで該積分回路から得られた該積分値を保持し、かつこれら順次のラインのうちのいずれかのラインで生成された該第１，第２の色副搬送波の映像期間での位相制御のための第２の制御パラメータとしての制御パラメータを保持する第１の手段と、
各ライン毎に、そのバースト期間に該積分回路から得られる該ディジタル色差信号Ｒ−Ｙに対する該積分値を取り込み、それを零とし、かつ該バースト期間に該積分回路から得られる該ディジタル色差信号Ｂ−Ｙに対する該積分値を負値とするための制御パラメータを設定し、該制御パラメータを次のラインのバースト期間での該第１の制御パラメータとする第２の手段と、
各ライン毎に、バースト期間で該積分回路から得られる該ディジタル色差信号Ｒ−Ｙに対する該積分値の絶対値と該第１の手段で保持されている該積分値の絶対値とを比較する第３の手段と、
該第３の手段で比較される絶対値が小さい方の該積分値に該第１の手段に保持される積分値を変更させる第４の手段と、
該第３の手段による比較の結果、該第１の手段に保持されている該積分値の絶対値が該第２の手段で取り込まれる該積分値の絶対値以下のとき、該第１の手段に保持されている該制御パラメータを次の映像期間の該第２の制御パラメータとし、該第２の手段で取り込まれる該積分値の絶対値が該第１の手段に保持されている該積分値の絶対値よりも小さいとき、該第２の手段で設定された該制御パラメータを次の映像期間の該第２の制御パラメータとする第５の手段と
を有し、
バースト期間に該第１の制御パラメータを、映像期間に該第２の制御パラメータを夫々該色副搬送波生成回路に供給することにより、該ディジタル変調信号の色副搬送波に対する該第１，第２の色搬送波の位相を制御することを特徴とするビデオ信号復調回路。
【請求項２】
アナログビデオコンポジット信号をディジタル信号に変換するＡ／Ｄ変換器と、該ディジタル信号からディジタル輝度信号とディジタル変調色信号とを分離するＹ／Ｃ分離回路と、第１の色搬送波と該第１の色搬送波に対して位相が９０゜異なる第２の色搬送波とを生成する色副搬送波生成回路と、該Ｙ／Ｃ分離回路で分離された該変調色信号と該第１の色搬送波とを乗算してディジタル色差信号Ｒ−Ｙを復調する第１の乗算器と、該Ｙ／Ｃ分離回路で分離された該ディジタル変調色信号と該第２の色搬送波とを乗算してディジタル色差信号Ｂ−Ｙを復調する第２の乗算器とを備えたビデオ信号復調回路において、
復調された該ディジタル色差信号Ｂ−Ｙのバースト期間での信号成分の積分値を求めるための積分回路と、
該積分回路の積分値を取り込んで、該第１，第２の色副搬送波の該バースト期間での位相制御のための第１の制御パラメータと該第１，第２の色副搬送波の映像期間での位相制御のための第２の制御パラメータとを生成する位相制御回路と を設け、
該位相制御回路は、
順次のラインのうちのいずれかのラインで該積分回路から得られた該積分値を保持し、かつこれら順次のラインのうちのいずれかのラインで生成された該第１，第２の色副搬送波の映像期間での位相制御のための第２の制御パラメータとしての制御パラメータを保持する第６の手段と、
各ライン毎に、そのバースト期間に該積分回路から得られる該ディジタル色差信号Ｂ−Ｙに対する該積分値を取り込み、それを最大とし、かつ該バースト期間に該積分回路から得られる該ディジタル色差信号Ｂ−Ｙに対する該積分値を負値とするための制御パラメータを設定し、該制御パラメータを次のラインのバースト期間での該第１の制御パラメータとする第７の手段と、
各ライン毎に、バースト期間で該積分回路から得られる該ディジタル色差信号Ｂ−Ｙに対する該積分値の絶対値と該第１の手段で保持されている該積分値の絶対値とを比較する第８の手段と、
該第３の手段で比較される絶対値が大きい方の該積分値に該第１の手段に保持される積分値を変更させる第９の手段と、
該第３の手段による比較の結果、該第１の手段に保持されている該積分値の絶対値が該第２の手段で取り込まれる該積分値の絶対値以上のとき、該第１の手段に保持されている該制御パラメータを次の映像期間の該第２の制御パラメータとし、該第２の手段で取り込まれる該積分値の絶対値が該第１の手段に保持されている該積分値の絶対値よりも大きいとき、該第２の手段で設定された該制御パラメータを次の映像期間の該第２の制御パラメータとする第１０の手段と
を有し、
バースト期間に該第１の制御パラメータを、映像期間に該第２の制御パラメータを夫々該色副搬送波生成回路に供給することにより、該ディジタル変調信号の色副搬送波に対する該第１，第２の色搬送波の位相を制御することを特徴とするビデオ信号復調回路。
【請求項３】
請求項１または２において、
前記位相制御回路は、バースト期間に前記積分回路から得られる前記ディジタル色差信号Ｂ−Ｙに対する前記積分値の正負を判定し、この積分値が正値のとき、前記第１，第２の色搬送波の位相が１８０゜反転するように、前記色搬送波生成回路を制御することを特徴とするビデオ信号復調回路。
【請求項４】
請求項１または２において、
前記位相制御回路は、バースト期間に前記積分回路から得られる前記ディジタル色差信号Ｂ−Ｙに対する前記積分値の正負を判定し、この積分値が正値のとき、前記第１の乗算器から出力されるディジタル色差信号Ｒ−Ｙ及び前記第２の乗算器から出力されるディジタル色差信号Ｂ−Ｙの正負を示す符号を反転させることを特徴とするビデオ信号復調回路。
【請求項５】
色差信号Ｒ−Ｙの色副搬送波の位相がライン毎に１８０゜反転するアナログビデオコンポジット信号をディジタル信号に変換するＡ／Ｄ変換器と、該ディジタル信号からディジタル輝度信号とディジタル変調色信号とを分離するＹ／Ｃ分離回路と、第１の色搬送波と該第１の色搬送波に対して位相が９０゜異なる第２の色搬送波とを生成する色副搬送波生成回路と、該Ｙ／Ｃ分離回路で分離された該変調色信号と該第１の色搬送波とを乗算してディジタル色差信号Ｒ−Ｙを復調する第１の乗算器と、該Ｙ／Ｃ分離回路で分離された該ディジタル変調色信号と該第２の色搬送波とを乗算してディジタル色差信号Ｂ−Ｙを復調する第２の乗算器とを備えたビデオ信号復調回路において、
復調された該ディジタル色差信号Ｒ−Ｙ，Ｂ−Ｙ夫々のバースト期間での信号成分の積分値の和を求めるための積分回路と、
該積分回路の積分値を取り込んで、該第１，第２の色副搬送波の該バースト期間での位相制御のための第１の制御パラメータと該第１，第２の色副搬送波の映像期間での位相制御のための第２の制御パラメータとを生成する位相制御回路と を設け、
該位相制御回路は、
該色搬送波生成回路で生成される該第１の色搬送波の位相をライン毎に１８０゜反転させる制御を行なう第１１の手段と、
順次のラインのうちのいずれかのラインで該積分回路から得られた該積分値を保持し、かつこれら順次のラインのうちのいずれかのラインで生成された該第１，第２の色副搬送波の映像期間での位相制御のための第２の制御パラメータとしての制御パラメータを保持する第１２の手段と、
各ライン毎に、そのバースト期間に該積分回路から得られる該積分値を取り込んで、それを零とするための制御パラメータを設定し、該制御パラメータを次のラインのバースト期間での該第１の制御パラメータとする第１３の手段と、
各ライン毎に、バースト期間で該積分回路から得られる該積分値の絶対値と該第１２の手段で保持されている該積分値の絶対値とを比較する第１４の手段と、
該第１４の手段で比較される絶対値が小さい方の該積分値に該第１２の手段に保持される積分値を変更させる第１５の手段と、
該第１４の手段による比較の結果、該第１２の手段に保持されている該積分値の絶対値が該第１３の手段で取り込まれる該積分値の絶対値以下のとき、該第１２の手段に保持されている該制御パラメータを次の映像期間の該第２の制御パラメータとし、該第１３の手段で取り込まれる該積分値の絶対値が該第１２の手段に保持されている該積分値の絶対値よりも小さいとき、該第１３の手段で設定された該制御パラメータを次の映像期間の該第２の制御パラメータとする第１６の手段と
を有し、
バースト期間に該第１の制御パラメータを、映像期間に該第２の制御パラメータを夫々該色副搬送波生成回路に供給することにより、該ディジタル変調信号の色副搬送波に対する該第１，第２の色搬送波の位相を制御することを特徴とするビデオ信号復調回路。
【請求項６】
請求項５において、
前記位相制御回路は、
前記色搬送波生成回路で生成される前記第１の色搬送波の位相をライン毎に１８０゜反転させる制御を行なう第１１の手段と、
順次のラインのうちのいずれかのラインで前記積分回路から得られた前記積分値を保持し、かつこれら順次のラインのうちのいずれかのラインで生成された前記第１，第２の色副搬送波の映像期間での位相制御のための第２の制御パラメータとしての制御パラメータを保持する第１２の手段と、
各ライン毎に、そのバースト期間に前記積分回路から得られる前記積分値を取り込んで、それを零とするための制御パラメータを設定し、該制御パラメータを次のラインのバースト期間での前記第１の制御パラメータとする第１３の手段と、
各ライン毎に、バースト期間で前記積分回路から得られる前記積分値の絶対値と該第１２の手段で保持されている前記積分値の絶対値とを比較する第１４の手段と、
該第１４の手段で比較される絶対値が小さい方の前記積分値に該第１２の手段に保持される積分値を変更させる第１５の手段と、
該第１４の手段による比較の結果、該第１２の手段に保持されている前記積分値の絶対値が該第１３の手段で取り込まれる前記積分値の絶対値以下のとき、該第１２の手段に保持されている該制御パラメータを次の映像期間の前記第２の制御パラメータとし、該第１３の手段で取り込まれる前記積分値の絶対値が該第１２の手段に保持されている前記積分値の絶対値よりも小さいとき、該第１３の手段で設定された該制御パラメータを次の映像期間の前記第２の制御パラメータとする第１６の手段と
を有することを特徴とするビデオ信号復調装置。
【請求項７】
請求項６において、
前記復調されたディジタル色差信号Ｒ−Ｙ，Ｂ−Ｙ夫々毎のバースト期間での信号成分の前記積分回路で得られる積分値の正負を判定する手段と、
前記復調されたディジタル色差信号Ｒ−Ｙに対する該積分値と前記復調されたディジタル色差信号Ｂ−Ｙに対する該積分値とがともに負値であるとき、前記色副搬送波生成回路で生成される前記第１の色副搬送波の位相を１８０゜反転させる、もしくは前記第１の乗算器で復調されるディジタル色差信号Ｒ−Ｙの正負を表わす符号を反転する手段と
を設けたことを特徴とするビデオ信号復調装置。
【請求項８】
請求項１〜７のいずれか１つにおいて、
前記色搬送波生成回路は、映像信号期間の前記第１，第２の色搬送波の位相にオフセットを持たせ、前記復調された色差信号Ｒ−Ｙ，Ｂ−Ｙの位相を変えることを特徴とするビデオ信号復調回路。
【発明の詳細な説明】
【０００１】
【発明の属する技術分野】
本発明は、アナログビデオコンポジット信号の色復調回路に係り、特に、ディジタル信号処理によってビデオコンポジット信号から２つの色差信号Ｒ−Ｙ，Ｂ−Ｙを復調するビデオ信号復調回路に関する。
【０００２】
【従来の技術】
従来、アナログビデオコンポジット信号から２つの色差信号Ｒ−Ｙ，Ｂ−Ｙを復調するビデオ信号復調回路としては、「ＮＨＫ テレビ技術教科書（上）」ｐｐ．１７２−１８４に記載のように、水晶振動子を用いた色搬送波生成回路や位相制御回路などのアナログ回路を用いて復調処理を行ない、しかる後、Ａ／Ｄ変換器により復調信号をディジタル信号に変換するものが知られている。
【０００３】
しかし、かかるビデオ信号復調回路は、多くの回路部品を必要とし、また、色差信号をディジタル化するために、２つのＡ／Ｄ変換器が必要になるなどの問題があり、このために、アナログビデオコンポジット信号をディジタル処理して色復調することにより、回路の簡略化，回路部品点数の削減を実現可能としたビデオ信号復調回路が特開平８−２１４３２７号公報で提案されている。
【０００４】
これを図６で説明すると、アナログビデオコンポジット信号がＡ／Ｄ変換器１でそのままディジタル信号に変換され、Ｙ／Ｃ分離回路２でこのディジタル信号から変調色信号Ｃが分離されて色復調回路３に供給される。
【０００５】
この色復調回路３では、正弦波データを記憶した第１のＲＯＭと余弦波データを記憶した第２のＲＯＭとこれらの読出アドレスを発生するＲＯＭカウンタとを含む色副搬送波生成回路６が設けられており、ＲＯＭカウンタからの読出アドレスにより、第１のＲＯＭから正弦波データが第１の色副搬送波として、また、第２のＲＯＭから余弦波データが第２の色副搬送波として夫々読み出される。
【０００６】
このようにして色副搬送波生成回路６で生成された第１の色副搬送波とＹ／Ｃ分離回路２で分離された変調色信号Ｃとが乗算器４で乗算されることによって色差信号Ｒ−Ｙが復調され、同様にして生成された第２の色副搬送波とこの変調色信号Ｃとが乗算器５で乗算されることによって色差信号Ｂ−Ｙが復調される。
【０００７】
また、この復調された色差信号Ｒ−Ｙのバースト期間の復調信号が積分回路７で積分され、マイコン８がこの積分結果に基づいて色副搬送波生成回路６での上記ＲＯＭカウンタのカウント値（即ち、上記第１，第２のＲＯＭのアドレス）を制御する。このＲＯＭカウンタのカウント値に応じて上記の第１，第２のＲＯＭから生成される第１，第２の色副搬送波の位相が変化するが、マイコン１１は、上記の積分結果をもとに、この積分結果が零となるように、ＲＯＭカウンタのカウント値を制御し、これにより、色副搬送波生成回路６からは変調色信号Ｃの色副搬送波に対して位相が正しく設定された第１，第２の色副搬送波が生成されることになる。
【０００８】
ここで、色差信号Ｒ−Ｙを復調するための上記第１の色副搬送波は、変調色信号のバースト信号と９０゜の位相差があるとき、正しい位相を持つことになる。従って、このように正しい位相の第１の色副搬送波で変調色信号Ｃのカラーバースト信号を復調すると、その復調出力は零である。そこで、上記のように、復調された色差信号Ｒ−Ｙのバースト期間の復調信号の積分値が零となるように、第１，第２の色副搬送波の位相を制御することにより、これら第１，第２の色副搬送波は変調色信号Ｃの色副搬送波に対して正しい位相を持つことになる。
【０００９】
このようにして、上記特開平８−２１４３２７公報に記載の従来技術では、色復調のための色副搬送波生成や位相制御などをディジタル処理によって行なうものであるから、アナログ処理によって行なう場合に比べ、回路構成が簡略化されて回路の部品点数も削減できる。
【００１０】
【発明が解決しようとする課題】
しかし、ディジタル処理によって色復調を行なう上記従来技術においては、ディジタル信号処理のみで色復調を行なうが故に、復調した色差信号Ｒ−Ｙのバースト期間での積分値の絶対値が零の近傍になると、ライン（水平走査期間）毎に色副搬送波生成回路６で生成された色副搬送波の位相がディジタルビデオコンポジット信号の副搬送波の位相に近づいたり、離れたりしてばらつく場合がある。以下、上記従来技術のかかる現象について、図７を用いて説明する。なお、図７は色副搬送波の１サイクル分を示すものである。
【００１１】
同図において、いま、実線ａをディジタルビデオコンポジット信号から分離された変調色信号Ｃの色副搬送波（以下、これを入力色副搬送波という）とし、黒丸をこの入力色副搬送波ａのサンプル点とすると、復調した色差信号Ｒ−Ｙのバースト期間での積分値の絶対値が零の近傍であるとき、上記の色復調回路３の色副搬送波生成回路６で生成される第１，第２の色副搬送波（以下、これらを生成色副搬送波という）は、破線ｂあるいは一点鎖線ｃで示す波形のように、ライン毎に、入力色副搬送波ａに対し、位相が進んだり、遅れたりする。ここで、これら生成色副搬送波ｂ，ｃでの白丸はそれらでのサンプル点を表わしている。
【００１２】
かかる現象は次のことから生ずるものである。
即ち、色副搬送波生成回路６では、Ａ／Ｄ変換器１のサンプルクロックと同一周波数で位相同期した読出アドレスクロックで上記の正弦波データや余弦波データを読み出すことにより、上記の第１，第２の色副搬送波を生成している。これに対し、入力されるアナログビデオコンポジット信号での色副搬送波の位相は、必ずしもかかるクロックと同期しておらず、かかるクロックに対してランダムな位相である。従って、Ｙ／Ｃ分離回路２で分離される変調色信号での色副搬送波、即ち、図６での入力色副搬送波ａと色副搬送波生成回路６で生成される第１，第２の色副搬送波との位相関係はランダムである。
【００１３】
図６に示す従来技術では、復調された色差信号Ｒ−Ｙのバースト期間の成分の積分回路５で得られる積分値が零となるように、マイコンがこの積分値に応じて、上記のように、第１，第２の色副搬送波の位相を制御することにより、これら第１，第２の色副搬送波が入力色副搬送波に位相同期するようにしているものであるが、色副搬送波生成回路６の上記第１，第２のＲＯＭからの正弦波，余弦波データの読出タイミングを変化させようとする場合、その変化は上記の読出アドレスクロックの周期の整数倍となり、不連続な変化となる。従って、第１，第２の色副搬送波の位相を変化させても、その位相変化量は読出アドレスクロックの周期の整数倍である。
【００１４】
そこで、図７において、いま、あるラインで復調された色差信号Ｒ−Ｙのバースト期間の成分の積分回路５で得られる積分値が零近傍（但し、零ではない）となり、このときの生成色副搬送波が、入力色副搬送波ａに対し、破線ｂで示す位相関係になったとする。そこで、次のラインでは、この積分値がさらに零に近くなるように、即ち、生成色副搬送波と入力色副搬送波ａとの位相差を小さくするように、生成色副搬送波に対して上記の位相制御が行なわれ、これによってこの生成色副搬送波の位相が遅らされることになるが、上記のように、生成色副搬送波の位相の変化量は読出アドレスクロックの周期の整数倍しか取り得ないから、入力色副搬送波ａと生成色副搬送波ｂとの位相差がこの読出アドレスクロックの１周期よりも小さいとすると、次のラインでの生成色副搬送波は一点鎖線ｃで示すようになり、入力色副搬送波ａに対して位相が遅れたものとなる。
【００１５】
さらに次のラインになると、やはり復調された色差信号Ｒ−Ｙのバースト期間の成分の積分回路５で得られる積分値が零となるように制御が行なわれるが、この場合、入力色副搬送波ａに対して生成色副搬送波ｃが位相遅れとなっているので、その位相を進める方向に制御が行なわれ、この結果、生成色副搬送波は破線ｂで示すものとなる。
【００１６】
このようにして、上記従来技術では、入力色副搬送波ａの位相に生成色副搬送波の位相を近づけようとするため、この生成色副搬送波が、ライン毎に、色副搬送波ｂから色副搬送波ｃへ、また、色副搬送波ｃから色副搬送波ｂへ変動する。そして、かかる生成色副搬送波ｂ，ｃに対して９０゜，１８０゜位相が異なる生成色副搬送波で変調色信号Ｃから色差信号Ｒ−Ｙ，Ｂ−Ｙを復調すると、ライン毎にこれら色差信号Ｒ−Ｙ，Ｂ−Ｙの直流レベルが変動し、色再現が損なわれることになる。
【００１７】
また、上記従来技術では、ＮＴＳＣ方式のビデオコンポジット信号を復調する場合、色副搬送波と復調回路内部で生成される色副搬送波との位相関係が正規の位相関係から１８０゜ずれている場合でも、復調された色差信号Ｒ−Ｙのバースト期間での積分値の絶対値が零の近傍になる。このような場合には、忠実な色再現ができなくなる。しかし、上記の従来技術では、この点についての配慮がなされていない。
【００１８】
本発明の第１の目的は、かかる問題を解消し、生成される色副搬送波の位相のライン毎の変動を低減し、良好な色再現を可能としたビデオ信号復調回路を提供することにある。
【００１９】
本発明の第２の目的は、生成される色副搬送波が正規の位相から１８０゜異なる位相の状態に安定化するのを防止し、良好な色再現を可能としたビデオ信号復調回路を提供することにある。
【００２０】
【課題を解決するための手段】
上記第１の目的を達成するために、本発明は、入力アナログビデオコンポジット信号をそのままＡ／Ｄ変換してディジタル信号とし、該ディジタル信号から分離される変調色信号を復調して色差信号を得るに際し、復調された該色差信号のバースト期間での積分値に応じて、該変調色信号のバースト期間と映像信号期間とで夫々該変調色信号の復調のための色副搬送波の位相を独立に制御するものである。
【００２１】
各ラインのバースト期間では、次の映像期間での色副搬送波の位相を、１つ前のラインで設定された位相と等しくするか、あるいは上記積分値に応じた位相とするかを、現ラインで得られた積分値とそれより前のいずれかのラインで得られた積分値とを比較することによって決定するようにする。
【００２２】
また、上記第２の目的を達成するために、本発明は、入力アナログビデオコンポジット信号をそのままＡ／Ｄ変換してディジタル信号とし、該ディジタル信号から分離される変調色信号を復調して色差信号を得るに際し、復調された色差信号Ｂ−Ｙのバースト期間での積分値の正負を判定し、その判定結果に応じて、復調された該色差信号の正負を表わす符号が正しい内容を表わすように制御するものである。
【００２３】
【発明の実施の形態】
以下、本発明の実施例を図面により説明する。
図１は本発明によるビデオ復調回路の一実施例を示すブロック図であって、９は位相制御回路、９ａはカウンタ、９ｂは計算処理回路、１０はセレクタ、１１は積分回路であり、図６に対応する部分には同一符号を付けている。
【００２４】
同図において、例えば、ＮＴＳＣ方式の入力アナログコンポジット信号は、Ａ／Ｄ変換器１でそのままディジタル信号に変換された後、Ｙ／Ｃ分離回路２に供給されて輝度信号Ｙと変調色信号Ｃとに分離され、分離されたディジタル輝度信号Ｙはそのまま出力され、分離されたディジタル変調色信号Ｃは色復調回路３の乗算器４，５に供給される。この乗算器４には、また、搬送色信号生成回路６で生成される第１の色副搬送波が供給され、この第１の色副搬送波とディジタル変調色信号Ｃとが乗算されることによりディジタル色差信号Ｒ−Ｙが復調される。他方の乗算器５には、搬送色信号生成回路６で生成される第１の色副搬送波とは９０゜位相が異なる第２の色副搬送波も供給され、この第２の色副搬送波とディジタル変調色信号Ｃとが乗算されることによりディジタル色差信号Ｂ−Ｙが復調される。
【００２５】
かかる構成において、さらに、積分回路１１と位相制御回路９とセレクタ１０とが設けられている。積分回路１１は、ディジタル変調色信号Ｃのバースト期間を表わすバーストゲート信号が供給され、このバーストゲート信号が表わすバースト期間、乗算器４，５の復調信号を積分する。即ち、変調色信号Ｃのバースト期間にはカラーバースト信号のみが存在するから、乗算器４では、このカラーバースト信号と第１の色副搬送波とが乗算されてバースト期間の復調信号として出力され、また、乗算器５では、このカラーバースト信号と第２の色副搬送波とが乗算されてバースト期間の復調信号として出力されるのであるが、積分回路１１では、これら乗算器４，５のバースト期間での復調信号が夫々積分される。なお、この積分回路１１では、このバーストゲート信号が表わすバースト期間の開始タイミングでリセットされる。
【００２６】
積分回路１１で得られるこれらバースト期間の積分値ＩR，ＩBは、バーストゲート信号によるバースト期間の終了タイミングとともに、位相制御回路９に取り込まれ、位相制御回路９では、これら積分値ＩR，ＩBに応じた２つの制御パラメータ、即ち、バースト期間での色副搬送波の位相を制御するための制御パラメータＰBと映像期間での色副搬送波の位相を制御するための制御パラメータＰPとを出力する。セレクタ１０は上記のバーストゲート信号によって制御され、バースト期間では位相制御回路９から出力される制御パラメータＰBを、また、映像期間では同じく制御パラメータＰPを夫々選択し、色副搬送波生成回路６に供給する。
【００２７】
色副搬送波生成回路６は、セレクタ１０で選択された制御パラメータに応じて第１の色副搬送波とこれより位相が９０゜異なる第２の色副搬送波を生成し、夫々乗算器４，５に供給する。この場合、色副搬送波生成回路６では、これによって生成される第１，第２の色副搬送波が位相制御回路９からの制御パラメータによって位相制御されるのであるが、上記のように、セレクタ１０により、位相制御回路９から色副搬送波生成回路６に供給される制御パラメータは、バースト期間では制御パラメータＰBが、映像期間では制御パラメータＰPであるから、これら第１，第２の色副搬送波は、バースト期間と映像期間とで夫々異なる制御パラメータで互いに独立に位相制御される。
【００２８】
なお、色副搬送波生成回路６は、正弦波を表わすディジタルデータ（以下、正弦波データという）を記憶したメモリと余弦波を表わすディジタルデータ（以下、余弦波データという）を記憶したメモリとを備えており、また、この場合、位相制御回路９が出力する上記の制御パラメータはこれらメモリの読出アドレスであり、このため、この位相制御回路９はかかる読出アドレスを発生するカウンタ９ａと上記積分値ＩR，ＩBを計算処理してこのカウンタ９ａのプリセット値を決める計算処理回路９ｂとを備えている。なお、カウンタ９ａがカウントするクロックは、Ａ／Ｄ変換器１のサンプルクロックと同一周波数で位相が同期したものである。また、このカウンタ９ａを色副搬送波生成回路６側に設けるようにしてもよい。
【００２９】
次に、水平ブランキング期間のバックポーチ部に重畳されているカラーバースト信号と色副搬送波生成回路６で生成される色副搬送波とを同期させる動作について説明する。
【００３０】
いま、入力アナログビデオコンポジット信号がＮＴＳＣ方式のカラービデオ信号とし、そのカラーバースト信号を、
【００３１】
【数１】
−cos(ω)
ビデオコンポジット信号での色差信号Ｒ−Ｙの色副搬送波を、
【００３２】
【数２】
sin(ω)
ビデオコンポジット信号での色差信号Ｂ−Ｙの搬送波（色差信号Ｒ−Ｙの色副搬送波よりも位相が９０゜異なる）を
【００３３】
【数３】
cos(ω)
とすると、色副搬送波生成回路６から数２で示す色副搬送波と位相が正確に一致した第１の色副搬送波が生成されている場合には、バースト期間での乗算器４の復調出力は、数１と数２とから、
【００３４】
【数４】
−cos(ω)×sin(ω)
となる。この数４で表わされる復調出力をカラーバースト信号の１サイクル分、即ち、０〜２πに渡って積分すると、
【００３５】
【数５】
0003850566.tif 000002
【００３６】
となる。
【００３７】
また、色副搬送波生成回路６から上記数３で示す色副搬送波と位相が正確に一致した第２の色副搬送波が生成されている場合には、バースト期間での乗算器５の復調出力は、数１と数３とから、
【００３８】
【数６】
−cos(ω)×cos(ω)
となる。この数６で表わされる復調出力をカラーバースト信号の１サイクル分、即ち、０〜２πに渡って積分すると、
【００３９】
【数７】
0003850566.tif 000003
【００４０】
となる。
【００４１】
以上より、色副搬送波生成回路６からの第１の色副搬送波が上記のように正しい位相を持つ場合には、積分回路１１が８〜１２サイクルのカラーバースト信号を含むバースト期間乗算器４からの復調信号を積分すると、その積分値は零となるものであって、位相制御回路９は、積分回路１１からの積分値ＩRに応じた制御パラメータＰB，ＰPを色副搬送波生成回路６に供給することにより、この積分値ＩRが零となるように、この色副搬送波生成回路６を制御して第１，第２の色副搬送波が上記の正しい位相を持つようにするものである。つまり、位相制御回路９では、バースト期間の終端タイミングで積分回路１１からの積分値ＩRを取り込むと、これを計算処理回路９ｂで計算して積分値ＩＲが零となるようにするための所定のプリセット値を算出し、これをカウンタ９ａにプリセットする。
【００４２】
ところで、第１の色副搬送波が上記の正しい位相から１８０゜位相がずれた状態でも、積分回路１１で得られるバースト期間での積分値ＩRは零となる。しかし、この場合には、乗算器４では、正しい色差信号Ｒ−Ｙが復調されないし、また、第２の色副搬送波も上記の正しい位相から１８０゜位相がずれたものとなるので、乗算器５から正しい色差信号Ｂ−Ｙが得られない。この実施形態では、これを上記の積分値ＩB から検出することができる。
【００４３】
即ち、上記の数７から明らかなように、第２の色副搬送波が正しい位相を持つ場合には、カラーバースト信号の１サイクルの積分値は−πと負値であり、従って、バースト期間での積分値ＩBも負値となる。しかし、この第２の色副搬送波が正しい位相に対して１８０゜位相が異なると、上記数７において、cos(ω)が−cos(ω）となるので、バースト期間での積分値ＩBが正値となる。従って、位相制御回路９は、この積分値ＩBが負値であるか、正値であるかにより、色副搬送波生成回路６で生成される第１，第２の色副搬送波が正しい位相状態にあるのか、これよりも１８０゜ずれた状態にあるかを検出することができ、この積分値ＩBが正値である場合には、第１，第２の色副搬送波の位相を１８０゜異ならせるための制御情報も含んだ制御パラメータＰB，ＰP（カウンタ９ａのプリセット値）を色副搬送波生成回路６に供給する。
【００４４】
なお、積分値ＩBが正値の場合、乗算器４，５からの色差信号Ｒ−Ｙ，Ｂ−Ｙなどの復調信号を正負極性反転するようにしてもよい（この場合、勿論、この復調された色差信号Ｒ−Ｙ，Ｂ−Ｙはディジタル信号であるから、その正負の極性を表わす符号を“１”，“０”反転することになる）。
【００４５】
以上のようにして、色副搬送波生成回路６からは、変調色信号Ｃ中のカラーバースト信号に位相同期した正しい位相の第１，第２の色副搬送波が生成されることになる。
【００４６】
ところで、このようにディジタル処理によって色復調を行なう場合、図７で説明したように、次に、乗算器４の復調信号のバースト期間での積分値ＩRの絶対値が零近傍であると、ライン毎に変調色信号Ｃの色副搬送波に対する第１，第２の色副搬送波の位相が進んだり、遅れたりし、変調色信号Ｃの色副搬送波に対する第１，第２の色副搬送波の位相のばらつきが生ずる。この実施形態では、このばらつきを以下のようにして抑える。
【００４７】
いま、連続する２つのライン１，２の近傍部分を示す図２において、ライン１の映像期間ＴP1では、位相制御回路９からセレクタ１０を介して色副搬送波生成回路６に制御パラメータ（書込みアドレス）ＰP1が供給され、この制御パラメータＰP1に応じた位相の第１，第２の色副搬送波が色副搬送波生成回路６で生成されているものとする。このとき、位相制御回路９には、ライン１を含めた過去のラインのいずれかのバースト期間ＴBで得られた零近傍の値Ａの積分値ＩRが所望の積分値ＩR として保持されている。
【００４８】
このようにして、ライン１の映像期間ＴP1では、制御パラメータＰP1に応じた位相の第１，第２の色副搬送波で変調色信号Ｃの復調が行なわれているが、これと同時に、このライン１のバースト期間ＴB1で得られた零近傍の値Ａ’の積分値ＩRを用いてこれを零とすることができる制御パラメータＰ（即ち、カウンタ９ａのプリセット値）を計算処理回路９ｂで計算している。
【００４９】
その後、次のライン２のバースト期間ＴB2になると、位相制御回路９はこの算出した制御パラメータＰによってカウンタ９ａを制御し（即ち、算出したプリセット値をカウンタ９ａにプリセットし）、これを制御パラメータＰB2として出力する。セレクタ１０はバースト期間ＴB2の間これを選択して色副搬送波生成回路６に送る。従って、色副搬送波生成回路６からは、この制御パラメータＰB2に応じた位相の第１，第２の色副搬送波が生成され、これにより、乗算器４，５でカラーバースト信号が復調される。この復調期間の信号が積分回路１１で積分され、零近傍の値Ｂの積分値ＩR として位相制御回路９に取り込まれる。
【００５０】
そこで、位相制御回路９では、計算処理回路９ｂが既に記憶されている上記の値Ａの絶対値｜Ａ｜と新たな積分値ＩRの値Ｂの絶対値｜Ｂ｜とを比較し、これら｜Ａ｜，｜Ｂ｜の関係が、
｜Ａ｜≦｜Ｂ｜
とすると、既に記憶している値Ａの積分値ＩRをそのままライン２でも保持するようにするとともに、ラインの映像期間ＴP2でも、ライン１で用いた制御パラメータＰP1を再度色副搬送波生成回路６に送り、これに応じた位相の第１，第２の色副搬送波を生成させる。これとともに、このライン２の映像期間ＴP2では、計算処理回路９ｂにより、バースト期間ＴB2で得られた値Ｂの積分値ＩRから積分値ＩRを零とする制御パラメータＰを新たに算出する。この新たな制御パラメータＰは、ライン２の場合と同様に、次のライン３（図示せず）のバートス信号期間で用いる。
【００５１】
また、｜Ａ｜＞｜Ｂ｜の場合には、ライン２のバースト期間ＴB2で用いた制御パラメータＰB2をこのライン２の映像期間での制御パラメータＰPとして使用し（このとき、位相制御回路９から出力される制御パラメータＰPは制御パラメータＰBと同じものとなる）、これによって位相制御された第１，第２の色副搬送波が色副搬送波生成回路６から出力されるようにする。また、これまで保持されていた値Ａの積分値ＩRが破棄されて代わりに新たな値Ｂの積分値ＩRが保持されるとともに、この値Ｂの積分値ＩRから積分値ＩRを零にするような制御パラメータを算出し、次のライン３のバースト期間ＴB3（図示せず）での使用に備える。
【００５２】
このようにして、各ラインにおいて、そのバースト期間では、１つ前のラインで算出した制御パラメータが積分値ＩRをより小さくするものであるかどうかの検査を行ない、その検査結果に応じて、次の映像期間では、積分値ＩRを小さくする方の制御パラメータを使用するものである。
【００５３】
即ち、第１，第２の色副搬送波は、バースト期間と映像期間とで独立に位相制御されることにより、積分値ＩRを小さくするように第１，第２の色副搬送波が位相制御されることになり、例えば、図７において、積分値ＩRが零近傍となったとき、第１，第２の色副搬送波が変調色信号Ｃの色副搬送波ａに対して破線ｂで示す位相のときの積分値ＩRが一点鎖線ｃで示す位相のときの積分値よりも小さい場合には、これら第１，第２の色副搬送波は破線ｂで示す位相の状態のままに保持され、逆の場合には、破線ｂで示す位相の状態から一点鎖線ｃで示す位相の状態に移ると、それ以降はこの一点鎖線ｃで示す位相の状態に安定化する。従って、変調色信号Ｃの色副搬送波ａに対する第１，第２の色副搬送波のライン毎のふらつきがなく、安定した色再現が可能となる。
【００５４】
なお、図２で説明したように図１に示した実施形態が動作するが、電源投入時のような入力アナログビデオコンポジット信号の色副搬送波がＡ／Ｄ変換器１のサンプルクロックや色副搬送波生成回路６の読出アドレスクロックと位相が全くランダムであって、この色副搬送波が色副搬送波生成回路６で生成される第１，第２の色副搬送波と位相が大きくずれている場合には、各ラインで位相制御回路９で保持されている積分値よりも積分回路１１から取り込む積分値の方が常に小さいものであり、積分回路１１から取り込む積分値に対する制御パラメータが使用されることになる。そして、これにより、入力アナログビデオコンポジット信号の色副搬送波に第１，第２の色副搬送波の位相が近づいていくことになる。
【００５５】
また、以上の実施形態では、乗算器４の復調出力のバースト期間での積分値  ＩRを用いて入力アナログビデオコンポジット信号の色副搬送波に第１，第２の色副搬送波の位相が近づくようにしたが、図３に示すように、色差信号Ｂ−Ｙを復調する乗算器５の復調出力のバースト期間での積分値ＩBを用いるようにしてもよい。但し、この場合には、上記数７の関係から、この積分値ＩBが大きくなる方向に第１，第２の色副搬送波の位相制御を行なう。即ち、位相制御回路９に保持されている積分値ＩBよりも積分回路１１から取り込む積分値ＩBが大きいとき、この取り込んだ積分値ＩR から、上記のようにして、これを最大とする制御パラメータを求めるとともに、この積分値ＩBを保持するものである。なお、この場合には、この積分値ＩBを用いて、上記のように、第１，第２の色副搬送波の位相が正規の位相から１８０゜ずれているか否かを判定できるので、この積分値ＩB のみを使用するだけでよい。
【００５６】
図４は本発明によるビデオ復調回路の他の実施例を示すブロック図であって、１２は加算器であり、図１に対応する部分には同一符号を付けて重複する説明を省略する。
【００５７】
同図において、乗算器４，５からの復調信号は加算器１２で加算され、積分回路１１は、図１における積分回路１１と同様の動作を行なって、バースト期間の開始タイミングからこの加算器１２の加算出力を積分し始める。位相制御回路９は積分回路１１で得られるバースト期間の積分値Ｉを取り込み、この積分値Ｉに応じたバースト期間での制御パラメータＰBと映像期間での制御パラメータＰP とをセレクタ１０に出力する。
【００５８】
なお、積分回路１１が加算器１２の加算出力を積分する代わりに、乗算器４，５からの復調信号を夫々積分し、これによって得られた夫々の積分値を加算するようにしてもよい。
【００５９】
次に、この実施形態の水平ブランキング期間のバックポーチ部に重畳されているカラーバースト信号と色副搬送波生成回路６で生成される色副搬送波とを同期させる動作について説明する。
【００６０】
いま、入力アナログビデオコンポジット信号がＰＡＬ方式のビデオコンポジット信号とし、そのカラーバースト信号を、
【００６１】
【数８】
−cos(ω)＋sin(ω)
このビデオコンポジット信号での色差信号Ｒ−Ｙの色副搬送波を、
【００６２】
【数９】
sin(ω)
このビデオコンポジット信号での色差信号Ｂ−Ｙの色副搬送波（色差信号Ｒ−Ｙの色副搬送波に対して位相が９０゜異なる）を、
【００６３】
【数１０】
cos(ω)
とし、色副搬送波生成回路６で生成される第１の色副搬送波の位相が数９で示す色差信号Ｒ−Ｙの色副搬送波の位相と正確に一致しているものとすると、バースト期間での乗算器４の復調出力は、数８と数９とにより、
【００６４】
【数１１】
（−cos(ω)＋sin(ω))×sin(ω)
となり、また、同じくバースト期間での乗算器５の復調出力は、数８と数１０とにより、
【００６５】
【数１２】
（−cos(ω)＋sin(ω))×cos(ω)
となる。従って、バースト期間での加算器１２の加算出力は、
【００６６】
【数１３】
｛（−cos(ω)＋sin(ω))×sin(ω)｝＋｛（-cos(ω)＋sin(ω))×cos(ω)｝      ＝−cos(２ω)
となり、これをカラーバースト信号の１サイクル分、即ち、０〜２πに渡って積分すると、
【００６７】
【数１４】
0003850566.tif 000004
【００６８】
となる。従って、この実施形態も、図１に示した実施形態と同様であり、位相制御回路９が積分回路１１からの積分値Ｉを零とするようなバースト期間と映像期間との制御パラメータを生成し、バースト期間で次の映像期間での制御パラメータの選択を行ない、これによって色副搬送波生成回路６からの第１，第２の色副搬送波の位相を制御する。
【００６９】
さらに、ＰＡＬ方式の場合、色差信号Ｒ−Ｙの色副搬送波の位相がライン毎に１８０゜ずれるので、位相制御回路９は、この色差信号Ｒ−Ｙを復調する第１の色副搬送波もこれに合わせてライン毎に１８０゜位相がずれるようにする制御パラメータを色副搬送生成回路６に送る。あるいはまた、第１の色副搬送波の位相をライン毎に１８０゜ずつずらす代わりに、乗算器４の次段に反転回路を設け、位相制御回路９がこの反転回路を制御することにより、乗算器４で復調される色差信号Ｒ−Ｙをライン毎に正負極性反転するようにしてもよい（この場合、勿論、この復調された色差信号Ｒ−Ｙはディジタル信号であるから、その正負の極性を表わす符号を“１”，“０”反転することになる）。
【００７０】
また、変調色信号Ｃでの色差信号Ｒ−Ｙの色副搬送波がライン毎に、
sin(ω)，−sin(ω)，sin(ω)，……
と１８０゜ずつ位相が変化し、乗算器４で復調された色差信号Ｒ−Ｙの色副搬送波がライン毎に、
−sin(ω)，sin(ω)，−sin(ω)，……
と変調色信号Ｃでの色差信号Ｒ−Ｙの色副搬送波の場合とは位相が１８０゜逆転している場合について考える。
【００７１】
いま、カラーバースト信号を、
【００７２】
【数１５】
−cos(ω)＋sin(ω)
色副搬送波生成回路６で生成される色差信号Ｒ−Ｙを復調するための第１の色副搬送波を、
【００７３】
【数１６】
−sin(ω)
色副搬送波生成回路６で生成される色差信号Ｂ−Ｙを復調するための第２の色副搬送波を、
【００７４】
【数１７】
cos(ω)
とすると、乗算器４の復調出力は、数１５と数１６とから、
【００７５】
【数１８】
（−cos(ω)＋sin(ω))×（−sin(ω))
となり、乗算器５の復調出力は、数１５と数１７とから、
【００７６】
【数１９】
（−cos(ω)＋sin(ω))×（cos(ω))
となる。これら乗算器４，５の復調出力をカラーバースト信号の１サイクル分、即ち、０〜２πに渡って夫々積分すると、
【００７７】
【数２０】
0003850566.tif 000005
【００７８】
【数２１】
0003850566.tif 000006
【００７９】
となる。
【００８０】
このことから、色副搬送波生成回路６で生成される第１の色副搬送波が−sin(ω)であり、乗算器４の復調出力のバースト期間の積分値ＩRと乗算器４の復調出力のバースト期間の積分値ＩBとがともに負であるとき、変調色信号Ｃの色副搬送波と色副搬送波生成回路６で生成される色差信号Ｒ−Ｙの復調のための第１の色副搬送波とはライン毎に１８０度ずれていることがわかる。従って、このときには、位相制御回路９は、制御パラメータにより、色副搬送波生成回路６を制御して第１の色副搬送波の位相を１８０゜反転させるようにするか、乗算器４の復調出力の正負を表わす符号を反転させるようにする。
【００８１】
以上のように、乗算器４，５の復調信号を加算器１２で加算し、その加算信号のうちの８〜１２サイクルのカラーバースト信号を含むバースト期間の部分を積分回路１１で積分し、制御回路６がその積分値に応じた制御パラメータで色副搬送波生成回路６を制御するとともに、色差信号Ｒ−Ｙを復調する第１の色副搬送波の位相がライン毎に１８０゜ずれるように色副搬送波生成回路６を制御することにより、積分回路１１での上記積分値が零となり、色副搬送波生成回路６から正しい位相の色副搬送波が生成されることになる。
【００８２】
なお、以上の各実施形態では、位相制御回路９をハード構成としたが、これをマイコンで構成してソフトウエア処理により同様の動作を行なうようにすることができる。
【００８３】
図５は以上説明した実施形態をビデオカメラ装置に適用した例を示すブロック図であって、１３はレンズ、１４は撮像素子、１５はＣＤＳ回路、１６は切替スイッチ、１７はＡ／Ｄ変換器、１８はカメラＤＳＰ（カメラディジタル信号処理）回路、１９はＹ／Ｃプロセス回路、２０は色変調回路、２１は電子ズーム回路、２２はＤ／Ａ変換器、２３はマイコン、２４は入力端子、２５はＹ／Ｃ分離回路、２６は色復調回路、２７は切替スイッチである。
【００８４】
同図において、撮像素子１４の出力をＤ／Ａ変換器２２からビデオ出力して得る場合には、切替スイッチ１６，２７をａ側に閉じる。レンズ１３によって撮像素子１４の受光面に結像された被写体映像が光電変換され、この撮像素子１４からアナログの映像信号が出力される。この映像信号は、ＣＤＳ回路１５で雑音の除去処理がなされた後、切替スイッチ１６を介してＡ／Ｄ変換器１７に供給され、ディジタル映像信号に変換されてカメラＤＳＰ回路１８に供給される。
【００８５】
このカメラＤＳＰ回路１８では、入力されたディジタル映像信号がＹ／Ｃプロセス回路１９でディジタル処理されて輝度信号Ｙと２つの色差信号Ｒ−Ｙ，Ｂ−Ｙとが生成され、これら色信号Ｒ−Ｙ，Ｂ−Ｙは色変調回路２０で変調されて変調色信号が生成される。これら色信号Ｒ−Ｙ，Ｂ−ＹとＹ／Ｃプロセス回路１９で生成せされた輝度信号Ｙとは、切替スイッチ２７を介してＤ／Ａ変換器２２に供給され、アナログの、例えば、ＮＴＳＣ方式のカラー映像信号として出力される。
【００８６】
また、外部から入力端子２４を介して入力される、例えば、ＮＴＳＣ方式のアナログビデオコンポジット信号を使用する場合には、切替スイッチ１６，２７をｂ側に閉じる。この場合には、この入力カラー映像信号はこの切替スイッチ１６を介してＡ／Ｄ変換器１７に供給され、ディジタルカラー映像信号に変換されてカメラＤＳＰ回路１８に供給される。
【００８７】
このカメラＤＳＰ回路１８では、入力されたディジタルカラー映像信号がＹ／Ｃ分離回路２５に供給されて輝度信号Ｙと変調色信号Ｃとに分離される。この変調色信号は色復調回路２６に供給され、上記のように動作して色差信号Ｒ−Ｙ，Ｂ−Ｙが復調される。これら復調された色差信号Ｒ−Ｙ，Ｂ−Ｙは、Ｙ／Ｃ分離回路２５で分離された輝度信号Ｙとともに、切替スイッチ２７を介してＤ／Ａ変換器２２に供給され、夫々アナログ信号に変換されてビデオ出力として出力される。
【００８８】
なお、切替スイッチ２７から出力されるディジタルの輝度信号Ｙと色差信号Ｒ−Ｙ，Ｂ−Ｙは、また、電子ズーム回路２１でフォーマット変換処理することにより、パソコンなどのマルチメディアに供給することができる。
【００８９】
かかる装置に上記の実施形態を適用することができ、その場合には、夫々の実施形態でのＡ／Ｄ変換器１はＡ／Ｄ変換器１７として用いられ、以下、Ｙ／Ｃ分離回路２はＹ／Ｃ分離回路２５として、色復調回路３は色復調回路２６として夫々用いるものである。
【００９０】
【発明の効果】
以上説明したように、本発明によれば、ディジタル化されたビデオコンポジット信号の変調色信号から色差信号Ｒ−Ｙ，Ｂ−Ｙを復調しても、得られるこれらの色差信号Ｒ−Ｙ，Ｂ−Ｙのレベルがライン毎に変動するということがなくなり、安定した色再現が簡単で部品点数の少ない回路構成で得られることになる。
【図面の簡単な説明】
【図１】本発明によるビデオ復調回路の一実施形態を示すブロック図である。
【図２】図１における位相制御回路の動作を示す図である。
【図３】本発明によるビデオ復調回路の他の実施形態を示すブロック図である。
【図４】本発明によるビデオ復調回路のさらに他の実施形態を示すブロック図である。
【図５】本発明によるビデオ復調回路の一適用例を示すブロック図である。
【図６】従来のビデオ復調回路の一例を示すブロック図である。
【図７】ディジタル処理によって変調色信号を復調する場合に生ずる不具合を示す図である。
【符号の説明】
１  Ａ／Ｄ変換器
２  Ｙ／Ｃ分離回路
３  色復調回路
４，５  乗算器
６  色副搬送波生成回路
９  位相制御回路
１０  セレクタ
１１  積分回路
１２  加算器
【図１】
0003850566.tif 000007
【図２】
0003850566.tif 000008
【図３】
0003850566.tif 000009
【図４】
0003850566.tif 000010
【図５】
0003850566.tif 000011
【図６】
0003850566.tif 000012
【図７】
0003850566.tif 000013